(57)【要約】【課題】穴径の異なる複数の排水穴に対して共有化可能なドレンソケット及びこれを備えた空気調和機の室外ユニットを提供する。【解決手段】ドレンソケット２０は、排水穴１１に連通する凹部としての水受け皿２１を備えた排水穴側接続部２２と、水受け皿２１に連通し、ドレン水排出ホース１３が接続されるホース側接続部２３とを備え、排水穴側接続部２２は、径が異なる複数の排水穴１１のそれぞれに係止可能な、相対向する一対の係止部２４を複数の径に対応して複数組備えている。【選択図】図３
2010101537.tif 000002
【特許請求の範囲】
【請求項１】
空気調和機の室外ユニットの底板に設けられた排水穴に一方が接続され、他方にドレン水排出ホースが接続される空気調和機のドレンソケットであって、
前記ドレンソケットは、前記排水穴に連通する凹部を備えた排水穴側接続部と、前記凹部に連通し、前記ドレン水排出ホースが接続されるホース側接続部とを備え、前記排水穴側接続部は、径が異なる複数の排水穴のそれぞれに係止可能な、相対向する一対の係止部を前記複数の径に対応して複数組備えていることを特徴とする空気調和機のドレンソケット。
【請求項２】
前記排水穴側接続部の前記凹部は、前記排水穴との接続部分から前記ホース側接続部との連通口部分に向かうにしたがって径が小さくなるすりばち状に形成されており、該凹部のテーパ面に、前記複数の相対向する一対の係止部が形成されていることを特徴とする請求項１記載の空気調和機のドレンソケット。
【請求項３】
前記係止部は、前記テーパー面から立設し、前記底板の外側から前記排水穴に係止可能な爪を有する係止片と、前記テーパー面から立設し、前記爪との間で前記排水穴の周囲の開口縁を挟持する挟持片とから構成されることを特徴とする請求項２記載の空気調和機のドレンソケット。
【請求項４】
前記係止部の前記係止片に、該係止片を前記凹部から切り離すための切断ガイドを設けたことを特徴とする請求項１乃至請求項３の何れかに記載の空気調和機のドレンソケット。
【請求項５】
前記一対の係止部は、前記凹部の中央を中心として相対向するように配置されており、前記各組のそれぞれは、前記凹部上に互いに位置をずらして配置されていることを特徴とする請求項１乃至請求項４の何れかに記載の空気調和機のドレンソケット。
【請求項６】
前記複数組は２組であることを特徴とする請求項１乃至請求項５の何れかに記載の空気調和機のドレンソケット。
【請求項７】
前記２組の一対の係止部は、前記凹部の中央を中心として略９０度ずらして配置されていることを特徴とする請求項６記載の空気調和機のドレンソケット。
【請求項８】
請求項１乃至請求項７の何れかに記載の空気調和機のドレンソケットを備えた空気調和機の室外ユニット。
【発明の詳細な説明】
【技術分野】
【０００１】
この発明は、空気調和機の室外ユニットの排水穴に取付けるドレンソケット及びこれを備えた空気調和機の室外ユニットに関するものである。
【背景技術】
【０００２】
従来の空気調和機の室外ユニットは、底板にドレン水を排水するための排水穴が設けられている。そして、排水穴にドレンソケットの一端が固定されており、ドレンソケットの他端に、ドレン排水穴からの排水を特定の位置に導くためのドレンホースが接続されている（例えば、特許文献１参照）。この種のドレンソケットは、排水穴の穴径に対応して用意されており、穴径毎に個別に設計されたものとなっている。
【特許文献１】特許３８８２９１０号公報（図１）
【発明の開示】
【発明が解決しようとする課題】
【０００３】
従来の空気調和機の室外ユニットは、室外ユニットの大きさによって排水穴の穴径が異なっている。排水穴が室外ユニットの大きさによって異なる理由は以下による。能力が小さい室外ユニットは、ユニット自体の大きさが小さく、ドレン水の排出量も少ないため、小さい穴径となっている。一方、能力が大きい室外ユニットは、ユニット自体の大きさが大きく、ドレン水の排出量も多い。したがって、仮に排水穴を小さくしてしまうと、寒冷地などでは排水する過程で凍りついてしまう恐れがある。このため、径を大きくしている。このように、排水穴の穴径が複数種類あるため、ドレンソケットもそれに合わせて複数種類存在し、各種類毎に金型を作成する必要があった。したがって、生産管理が大変でかつコスト（金型費）がかかっていた。また、ドレンソケットは別売部品として、ユーザーがお店で購入することが可能であるが、排水穴が複数種類あると、間違えて購入する恐れもあった。
【０００４】
この発明は、上記のよう課題を解決するためになされたもので、穴径の異なる複数の排水穴に対して共有化可能なドレンソケット及びこれを備えた空気調和機の室外ユニットを提供することを目的とする。
【課題を解決するための手段】
【０００５】
この発明に係る空気調和機のドレンソケットは、空気調和機の室外ユニットの底板に設けられた排水穴に一方が接続され、他方にドレン水排出ホースが接続される空気調和機のドレンソケットであって、ドレンソケットは、排水穴に連通する凹部を備えた排水穴側接続部と、凹部に連通し、ドレン水排出ホースが接続されるホース側接続部とを備え、排水穴側接続部は、径が異なる複数の排水穴のそれぞれに係止可能な、相対向する一対の係止部を複数の径に対応して複数組備えているものである。
【発明の効果】
【０００６】
この発明によれば、径が異なる複数の排水穴のそれぞれに係止可能な、相対向する一対の係止部を複数の径に対応して複数組備えているので、穴径の異なる複数の排水穴に対して共有化可能なドレンソケットを得ることができる。
【発明を実施するための最良の形態】
【０００７】
図１は、この発明の一実施の形態における空気調和機の室外ユニットを分解した斜視図である。図２は、この発明の一実施の形態におけるドレンソケットの取付け部分の斜視図である。
図１において、室外ユニットの外観構成は、全体の土台となる底板１、前面パネル２、天面パネル３及び背面パネル４を備えて全体略矩形状に構成されている。前面パネル２の開口にはファンガード５が取り付けられている。室外ユニット内には、プロペラファン６、ファンモーター７、ファンモーター固定板８、配線接続部カバー９及び室外熱交換器１０を備えている。底板１にはドレン水を排出するための排水穴１１が設けられており、この排水穴１１にドレンソケット２０の一端が接続され、ドレンソケット２０の他端にドレン水排出ホース１３が接続される。そして、空気調和機の運転開始により室外ユニット内の配管（図示せず）や配管接続部（図示せず）、室外熱交換器１０に付着した水が底板１に滴下すると、排水穴１１からドレンソケット２０を介してドレン水排出ホース１３へと排出される。また、底板１には、足１２が固定されている。
【０００８】
底板１に開けられる排水穴１１は、一般的に、室外ユニットの奥行きＷに応じて複数種類存在する。穴径は大きい方が良いが、室外ユニットの奥行きＷが小さいと設置スペースが足りず、小さな穴径のものしか作成できない。したがって、排水穴１１を室外ユニットの奥行きＷによらず、大きな穴径で統一することは困難であり、それ故、現在複数の穴径のものが存在している。逆に小さな穴径で統一しようとすると、能力が大きな機種（室外ユニットの奥行きＷが大きい機種）では、排水されるドレンの量が多いため対応できない。
【０００９】
そこで、本例のドレンソケット２０は、穴径の異なる複数の排水穴１１に対して対向可能な構造を有しており、その構造の詳細について、図３〜図７を参照して説明する。図３は、この発明の一実施の形態におけるドレンソケットの拡大斜視図である。図４は、この発明の一実施の形態におけるドレンソケットの組立て方法を説明するための断面図である。図５は、この発明の一実施の形態におけるドレンソケットと底板との組立て後の断面図（排水穴１１の穴径大）である。図６は、この発明の一実施の形態におけるドレンソケットと底板との組立て後の断面図（排水穴１１の穴径小）である。図７は、図４において円で囲んだ部分の拡大図である。
【００１０】
ドレンソケット２０は、室外ユニットの外部側から底板１の排水穴１１に対して接続される排水穴側接続部２２と、排水穴側接続部２２に連通する管状のホース側接続部２３とが一体的に形成された構成を有している。排水穴側接続部２２は、排水穴１１に連通する凹部である水受け皿２１を有し、水受け皿２１は、その排水穴１１との接続部分から下方に向かって（ホース側接続部２３との連通口部分に向かって）径が小さくなるすりばち状に形成されている。
【００１１】
そして、水受け皿２１のテーパ面には、径が異なる複数の排水穴１１のそれぞれに係止可能な、相対向する一対の係止部２４が複数組（図３には２組形成した場合を例示）形成されている。２組の一対の係止部２４のそれぞれは、水受け皿２１の中央を中心として相対向するように配置されており、この例では、水受け皿２１の中央を中心として略９０度ずれた位置に形成されている。各組のそれぞれは、一対の係止部２４間の距離が異なっており、距離が短い方の一対の係止部２４（以下、小径用係止部２４ａと言う場合がある）は、小径の排水穴用であり、距離が長い方の一対の係止部２４（以下、大径用係止部２４ｂと言う場合がある）は、小径の排水穴よりも大径の排水穴用として設けられている。この構成により、２種類の穴径の排水穴１１に対応可能となっている。
【００１２】
各係止部２４は、テーパー面から立設し、室外ユニットの外部側から排水穴１１に挿入され排水穴１１の周囲の開口縁１１ａに係止可能な爪２５ａを有する係止片２５と、テーパー面から立設し、爪２５ａとの間で排水穴１１の周囲の開口縁１１ａを挟持する挟持片２６とから構成されている。ドレンソケット２０を排水穴１１に接続する際には、図４の矢印に示すように底板１の外側から排水穴１１にドレンソケット２０の係止部２４の爪２５ａを挿入し、爪２５ａと挟持片２６とで排水穴１１の周囲の開口縁１１ａを挟み込むことで接続固定する。図５は、大径の排水穴１１にドレンソケット２０の一対の大径用係止部２４ｂを接続した場合の断面図、図６は、小径の排水穴１１に一対の小径用係止部２４ａを接続した場合の断面図を示している。
【００１３】
図５に示すように、排水穴１１が大径の場合には、一対の大径用係止部２４ｂを利用してドレンソケット２０を排水穴１１に接続する。なお、一対の大径用係止部２４ｂを利用する場合、一対の小径用係止部２４ａは排水穴１１の内側に位置するため接続の邪魔にはならないが、切断したほうが流路抵抗を小さくすることが出来る。
【００１４】
一方、図６に示すように、大径の排水穴１１よりも穴径の小さい小径の排水穴１１に対しては、一対の小径用係止部２４ａを利用してドレンソケット２０を排水穴１１に接続する。ドレンソケット２０の一対の小径用係止部２４ａを小径の排水穴１１に接続する場合には、ドレンソケット２０をそのまま排水穴１１に取り付けようとすると、大径用係止部２４ｂの係止片２５が底板１に当たってしまい、組立てることが不可能となってしまう。
【００１５】
そのため、本例では、図７に示すように、ドレンソケット２０の大径用係止部２４ｂの係止片２５の根元に切断ガイドとしての切込み２７を設けており、切込み２７にて大径用係止部２４ｂの係止片２５を切断した上で組立てる。また切込み２７は、挟持片２６の上面より高い位置にあると、組立てる際に底板１に干渉してしまうため、挟持片２６の上面の高さよりも低い位置に設けている。なお、小径用係止部２４ａ側にも切込み２７を設け、大径の排水穴１１にドレンソケット２０を接続する場合には、小径用係止部２４ａを切断することが望ましい。これにより、上述したように小径用係止部２４ａが流路抵抗となるのを防止出来る。
【００１６】
次に、以上のように構成されたドレンソケット２０を排水穴１１に接続する際の取付動作について説明する。
底板１に開けられた排水穴１１の穴径が大きいときは、大径用係止部２４ｂを使用する。このため、まず、小径用係止部２４ａを切込み２７を利用して切断する。そして、ドレンソケット２０の排水穴側接続部２２を、底板１の排水穴１１に底板１の外側から対向させ、一対の大径用係止部２４ｂを排水穴１１に向かって押し込む。これにより、一対の大径用係止部２４ｂの係止片２５の爪２５ａが排水穴１１に挿入され、排水穴１１の周囲の開口縁１１ａに係止すると共に、爪２５ａと挟持片２６との間の隙間で開口縁１１ａを挟み込む。これにより、ドレンソケット２０が大径の排水穴１１に接続固定される。
【００１７】
一方、底板１に開けられた排水穴１１の穴径が小さいときは、小径用係止部２４ａを使用する。このため、まず、大径用係止部２４ｂを切込み２７を利用して切断する。そして、上記と同様にして一対の大径用係止部２４ｂを排水穴１１に向かって押し込み、ドレンソケット２０を小径の排水穴１１に接続固定する。
【００１８】
以上説明したように、この実施の形態のドレンソケット２０は、径が異なる複数の排水穴１１のそれぞれに係止可能な、相対向する一対の係止部２４を複数の径に対応して複数組備えているため、穴径の異なる排水穴に対して共有化可能である。すなわち、排水穴１１の穴径が複数種類存在しても、一つのドレンソケット２０で対応可能となり、各種類毎に金型作成が必要であった従来の不都合を解消できる。
【００１９】
なお、図３では、ドレンソケット２０の一対の小径用係止部２４ａと一対の大径用係止部２４ｂとが、９０度ずれている例を図示して説明したが、９０度に限定したものではなく、図８に示すように、任意の角度（図８の例では６０度）とすることが出来る（但し、金型作成上は９０度が望ましい）。
【００２０】
また、この実施の形態では、一対の係止部２４を２組設けた例を図示して説明したが、図９に示すように、更に複数組（図９では３個）の一対の係止部２４を設けるようにしてもよい。この場合、３種類の異なる径の排水穴に対応可能なドレンソケット２０とすることが出来る。
【図面の簡単な説明】
【００２１】
【図１】この発明の一実施の形態における空気調和機の室外ユニットを分解した斜視図である。
【図２】この発明の一実施の形態におけるドレンソケットの取付け部分の斜視図である。
【図３】この発明の一実施の形態におけるドレンソケットの拡大斜視図である。
【図４】この発明の一実施の形態におけるドレンソケットの組立て断面図である。
【図５】大径の排水穴にドレンソケットの一対の大径用係止部を接続した場合の断面図である。
【図６】小径の排水穴にドレンソケットの一対の小径用係止部を接続した場合の断面図である。
【図７】図４において円で囲んだ部分の拡大図である。
【図８】一対の係止部の他の配置例を示した図である。
【図９】一対の係止部を３組備えたドレンソケットの斜視図である。
【符号の説明】
【００２２】
１  底板、２  前面パネル、３  天面パネル、４  背面パネル、５  ファンガード、６  プロペラファン、７  ファンモーター、８  ファンモーター固定板、９  配線接続部カバー、１０  室外熱交換器、１１  排水穴、１１ａ  開口縁、１２  足、１３  ドレン水排出ホース、２０  ドレンソケット、２１  水受け皿（凹部）、２２  排水穴側接続部、２３  ホース側接続部、２４  係止部、２４ａ  小径用係止部、２４ｂ  大径用係止部、２５  係止片、２５ａ  爪、２６  挟持片  ２７  切込み。
【図１】
2010101537.tif 000003
【図２】
2010101537.tif 000004
【図３】
2010101537.tif 000005
【図４】
2010101537.tif 000006
【図５】
2010101537.tif 000007
【図６】
2010101537.tif 000008
【図７】
2010101537.tif 000009
【図８】
2010101537.tif 000010
【図９】
2010101537.tif 000011